(57)【要約】【課題】  発光が長時間持続し、風船を安定して支持することができる発光風船を提供する。【解決手段】  発光風船１０は、２枚の合成樹脂フィルム１２を重ね合わせて周縁を熱溶着され、光が透過し易い部分１１ａと光が透過しにくい部分１１ｂとが設けられた風船本体１１と、前記２枚の合成樹脂フィルムに挟まれて、その一端を前記風船本体に挿入され、他端を前記風船本体の外部に突出させて溶着されることにより、前記風船本体に取付けられたガス注入用バルブ３０と、前記２枚の合成樹脂フィルムに挟まれて、その底部を前記風船本体内に挿入され、その入口部を前記風船本体の外部に突出させて溶着されることにより、前記風船本体に取付けられたポケット２０とを備えており、ポケット内に配置された発光ダイオード５０の電線５１が、前記ポケット内に挿入固定されたパイプスティック４０を通して外部に取出されている。【選択図】  図１
2007010950.tif 000002
【特許請求の範囲】
【請求項１】
２枚の合成樹脂フィルムを重ね合わせて周縁を熱溶着され、光が透過し易い部分と光が透過しにくい部分とが設けられた風船本体と、
前記２枚の合成樹脂フィルムに挟まれて、その一端を前記風船本体に挿入され、他端を前記風船本体の外部に突出させて溶着されることにより、前記風船本体に取付けられたガス注入用バルブと、
前記２枚の合成樹脂フィルムに挟まれて、その底部を前記風船本体内に挿入され、その入口部を前記風船本体の外部に突出させて溶着されることにより、前記風船本体に取付けられたポケットと、
前記ポケット内に配置される発光体とを備えた発光風船において、
前記ポケット内にその先端部を挿入されて、該ポケットに固着されたパイプスティックと、
前記ポケット内に収容された、前記発光体をなす発光ダイオードと、
一端が前記発光ダイオードに接続され、他端が前記スティックを通して外部に取出された電線と、
この電線の他端が接続された電源装置とを有していることを特徴とする発光風船。
【請求項２】
前記スティックの先端部が挿入された前記ポケットの外周に受具が取付けられ、前記風船本体がこの受具によって支持される請求項１記載の発光風船。
【請求項３】
前記スティックの他端は、支持台に支持されており、この支持台内に前記電源装置が内蔵されている請求項１又は２記載の発光風船。
【請求項４】
前記発光ダイオード及び前記電源装置は、前記発光ダイオードを経時的に色を変えながら点滅させるものである請求項１〜３のいずれか１つに記載の発光風船。
【発明の詳細な説明】
【技術分野】
【０００１】
本発明は、膨らませた風船の周面に、光が透過しやすい部分と光が透過しにくい部分とからなる模様を設け、風船内部に配置した発光体によって上記模様を光により浮き上がらせるようにした発光風船に関する。
【背景技術】
【０００２】
このような発光風船としては、例えば、本発明者により提案された下記特許文献１に記載されたものが知られている。この発光風船は、２枚の合成樹脂フィルムを重ね合わせて周縁を熱溶着され、光が透過し易い部分と光が透過しにくい部分とが設けられた風船本体と、前記２枚の合成樹脂フィルムに挟まれて、その一端を前記風船本体に挿入され、他端を前記風船本体の外部に突出させて溶着されることにより、前記風船本体に取付けられたガス注入用バルブと、前記２枚の合成樹脂フィルムに挟まれて、その底部を前記風船本体内に挿入され、その入口部を前記風船本体の外部に突出させて溶着されることにより、前記風船本体に取付けられたポケットと、前記ポケット内に配置される発光体とを備えている。また、上記発光体として、例えば化学発光体や、ペンライトを用いることが記載されている。
【０００３】
一方、下記特許文献２には、所要形状をなす風船部と、この風船部の空気注入口内に挿入された空気注入用筒体と、前記空気注入用筒体の先端部でかつ前記風船部に位置する逆止弁と、前記空気注入用筒体及び前記空気注入口の外周に配置され、断面形状がほぼY形をなす保持体と、前記保持体の貫通孔と、前記保持体の軸方向に沿って形成されたスリットとを備え、前記空気注入口が前記空気注入用筒体と前記保持体とにより挟持されて、前記風船部が前記空気注入用筒体及び前記保持体によって支持されるように構成された風船装置が開示されている。
【０００４】
特許文献２に示されるように、従来のスティック付きフィルム風船は、その逆止弁に空気注入用筒体をなすパイプスティックの先端部が挿入され、このスティック及び逆止弁の外周に風船受具を配置して、風船をスティックと風船受具とで支持すると共に、上記スティックを空気注入用筒体として利用するようにしている。
【特許文献１】特開２０００−７５８２６号公報
【特許文献２】実公平５−３３１９７号公報
【発明の開示】
【発明が解決しようとする課題】
【０００５】
上記特許文献１の発光風船において、発光体として化学発光体を用いた場合には、明るさが弱く、かつ、発光が長時間持続しないという問題があった。また、ペンライトのようなものを挿入した場合には、フィルム風船に比べてペンライトが重過ぎて、フィルム風船を安定して支持することが困難であった。
【０００６】
また、上記特許文献２に示されるように、従来のスティック付きフィルム風船では、スティックの先端部が逆止弁に挿入されて固定されており、スティックは空気注入用筒体を兼ねるものと考えられており、スティックを空気注入以外の用途に用いるという発想がなされたことはなかった。
【０００７】
したがって、本発明の目的は、発光が長時間持続し、風船を安定して支持することができるようにした発光風船を提供することにある。
【課題を解決するための手段】
【０００８】
上記目的を達成するため、本発明は、２枚の合成樹脂フィルムを重ね合わせて周縁を熱溶着され、光が透過し易い部分と光が透過しにくい部分とが設けられた風船本体と、
前記２枚の合成樹脂フィルムに挟まれて、その一端を前記風船本体に挿入され、他端を前記風船本体の外部に突出させて溶着されることにより、前記風船本体に取付けられたガス注入用バルブと、
前記２枚の合成樹脂フィルムに挟まれて、その底部を前記風船本体内に挿入され、その入口部を前記風船本体の外部に突出させて溶着されることにより、前記風船本体に取付けられたポケットと、
前記ポケット内に配置される発光体とを備えた発光風船において、
前記ポケット内にその先端部を挿入されて、該ポケットに固着されたパイプスティックと、
前記ポケット内に収容された、前記発光体をなす発光ダイオードと、
一端が前記発光ダイオードに接続され、他端が前記スティックを通して外部に取出された電線と、
この電線の他端が接続された電源装置とを有していることを特徴とする発光風船を提供するものである。
【０００９】
本発明によれば、ポケット内に発光ダイオードを配置すると共に、先端部をポケットに挿入されたパイプスティックを通して、ポケット内に配置された発光ダイオードに接続された電線を外部に取出し、電源装置に接続するようにしたので、フィルム風船内には比較的軽量の発光ダイオードだけを配置すればよく、フィルム風船を安定して容易に支持することができる。
【００１０】
また、風船外部に設けられる電源装置により、風船内部に配置された発光ダイオードを発光させるようにしたので、比較的明るい光で長時間にわたって風船本体を光らせることができ、発光風船の意匠効果を高めて、長時間にわたって楽しむことができる。更に、スティックを通して電線を取出すようにしたので、外観も良好となる。
【００１１】
本発明の好ましい態様によれば、前記スティックの先端部が挿入された前記ポケットの外周に受具が取付けられ、前記風船本体がこの受具によって支持される。これによれば、風船本体を、スティックの先端部と、該先端部に装着された受具とによって、より安定して支持することができる。
【００１２】
本発明の更に好ましい態様によれば、前記スティックの他端は、支持台に支持されており、この支持台内に前記電源装置が内蔵されている。これによれば、支持台内に電源装置が内蔵されることにより、支持台の質量が重くなるので、スティック及び風船本体をより安定して支持することができると共に、電線や電源装置が外部から見えないので、外観をより良好にすることができる。また、電源装置が一体化されるので、全体をコンパクトにすることができる。
【００１３】
本発明の更に好ましい態様によれば、前記発光ダイオード及び前記電源装置は、前記発光ダイオードを経時的に色を変えながら点滅させるものである。これによれば、色を変えながら点滅する光によって、意匠効果をより高めることができる。
【発明の効果】
【００１４】
本発明によれば、フィルム風船を安定して容易に支持することができる。また、比較的明るい光で長時間にわたって風船本体を光らせることができ、発光風船の意匠効果を高めて、長時間にわたって楽しむことができる。更に、外観も良好となる。
【発明を実施するための最良の形態】
【００１５】
以下、図面を参照して、本発明の実施形態を説明する。図１〜３には、本発明による発光風船の一実施形態が示されている。
【００１６】
この発光風船１０は、合成樹脂フィルムからなる風船本体１１を有している。風船本体１１は、図３に示すように、２枚の合成樹脂フィルム１２を重ね合わせ、所定形状、例えば円形等の形状に裁断し、それらの周縁部１２ａを熱溶着することにより形成されている。なお、周縁部１２ａを熱溶着するとき、後述するポケット２０やガス注入用バルブ３０を一緒に熱溶着する。合成樹脂フィルム１２の材質としては、従来よりこの種の風船に用いられているもの、例えばポリエチレン、ポリアミド、ポリエチレンテレフタレート、ポリプロピレン、ポリビニルアルコール、エチレンビニルアルコール重合体等が好ましく用いられる。合成樹脂フィルム１２には、塗料による印刷や、金属蒸着が施されていてもよく、更には金属箔がラミネートされていてもよい。
【００１７】
そして、合成樹脂フィルム１２からなる風船本体１１には、光が透過し易い部分１１ａと、光が透過しにくい部分１１ｂとが設けられている。光が透過し易い部分は、例えば透明又は半透明の合成樹脂フィルムのみの部分からなり、光が透過しにくい部分は、例えば金属蒸着層、金属箔層、塗膜印刷層等が施された部分からなる。この実施形態では、光が透過し易い部分１１ａを目と口の形状にしてハローウィンお化けの顔のような模様としている。
【００１８】
なお、上記光が透過し易い部分１１ａと、光が透過しにくい部分１１ｂは、例えば次のような方法で形成することができる。すなわち、合成樹脂フィルム１２は、例えば、熱溶着性を有する材質のポリエチレンフィルムと、その外側に積層されたポリアミドフィルムと、その更に外側に形成されたアルミ蒸着層と、更にその外側に印刷されたマスキング層とからなっている。そして、マスキング層は、エッチング液に浸食されない樹脂層からなり、光が透過しにくい部分１１ｂにのみ塗布されている。
【００１９】
そして、合成樹脂フィルム１２表面をアルミニウムに対して溶解性を有するエッチング液で処理することにより、マスキング層が形成された部分以外のアルミ蒸着層を溶解して除去する。この結果、マスキング層が形成されていない部分は、アルミ蒸着層が除去されて光が透過しやすい部分１１ａとなり、マスキング層が形成されている部分は、アルミ蒸着層が残って光が透過しにくい部分１１ｂとなる。
【００２０】
この合成樹脂フィルム１２の場合は、２枚のフィルムを重ね合わせて周縁を熱溶着する際、熱溶着性を有するポリエチレンフィルムを内側どうしにする。また、光が透過し易い部分１１ａは、完全な透明であるよりも、半透明の方が、光が拡散されてむらがなくなるので、より美しいデザインとなる。このため、ポリエチレンフィルム又はポリアミドフィルムは、例えば乳白色等に着色されていることが好ましい。なお、ポリエチレンフィルム、ポリアミドフィルムの代わりに、前述したような各種の合成樹脂フィルムを用いることができるが、最も内側のフィルムは、熱溶着性のある材質であることが必要である。
【００２１】
ポケット２０は、図３に示すように、例えばポリエチレンのような熱溶着性のある合成樹脂フィルム２１を後述する発光ダイオード５０が十分に収納できる内径及び長さの長方形等に裁断して２枚重ね合わせ、両側部２０ａ、２０ｂ及び底部２０ｃを熱溶着して、入口部２０ｄが開口した袋状に形成されている。ポケット２０は、底部２０ｃが風船本体１１内に入り、入口部２０ｄが風船本体１１の外部に突出するように、２枚の合成樹脂フィルム１２の間に挟んでおいて、風船本体１１を構成する２枚の合成樹脂フィルム１２の周縁部を熱溶着するとき、合成樹脂フィルム１２の下縁部に同時に熱溶着する。その場合、入口部２０ｄまで熱溶着して閉塞されてしまわないように、合成樹脂フィルム２１、２２の内面中央に熱溶着を阻止する塗膜等を形成しておく。
【００２２】
この結果、ポケット２０は、２枚の合成樹脂フィルム１２に挟まれて、その底部２０ｃを風船本体１１内に挿入され、その入口部２０ｄを風船本体１１の外部に突出させて、風船本体１１に対して気密的に取付けられる。したがって、風船本体１１にガスを注入したとき、ポケット２０の取付け部からガス漏れすることはなく、しかもポケット２０の入口部２０ｄは外気に開放されていて、発光ダイオード５０を挿入できるようになっている。
【００２３】
風船本体１１の上縁部に取付けられたガス注入用バルブ３０は、図３に示すように、ポリエチレンのような熱溶着性のある合成樹脂フィルム３１を長方形等に裁断して２枚重ね合わせ、その両側部３１ａ、３１ｂを熱溶着して、ガス入口３１ｃと、ガス出口３１ｄとを開放させた構造をなしている。ガス注入用バルブ３０は、ガス出口３１ｄが風船本体１１内に入り、ガス入口３１ｃが風船本体１１の外部に突出するように、風船本体１１を構成する２枚の合成樹脂フィルム１２の間に挟んでおいて、２枚の合成樹脂フィルム１２の周縁部を熱溶着するとき、同時に熱溶着することができる。その場合、ガス入口３１ｃまで熱溶着して閉塞されてしまわないように、合成樹脂フィルム３１の内面中央に熱溶着を阻止する塗膜等を形成しておく。なお、ガス注入用バルブ３０としては、例えば特公昭５２ー１１８９８号に示されるように、複数の合成樹脂フィルム片を重合して形成した周知のものを採用できる。なお、ガス注入用バルブ３０の取付位置は、風船本体１１の上縁部に限定されるものではなく、ポケット２０と重ならない位置であればどこでもよい。
【００２４】
ポケット２０の入口部２０ｄには、パイプスティック４０の先端部が挿入され、パイプスティック４０と、ポケット２０の風船本体１１から突出した部分とが、粘着テープ等によって固着されている。なお、粘着テープ等は、ポケット２０のみでなく、風船本体１１にも巻き付けられて、これらが一体に固着されていてもよい。
【００２５】
また、パイプスティック４０とポケット２０との固着部外周には、風船受具４１が装着されている。この風船受具４１は、パイプスティック４０の外周に摺接する筒部４２と、この筒部４２の上端から上方に向けてロート状に広がりながら延出された受け部４３とを有している。筒部４２の内周には、図示しない縮径部が設けられており、ポケット２０の下端部をパイプスティック４０の外周に粘着テープ等により固定し、受具４１を上方にスライドさせると、上記縮径部が粘着テープ等で巻かれた部分の外周に圧着されて、風船受具４１をパイプスティック４０に固定できるようになっている。そして、風船受具４１の受け部４３が風船本体１１の下端部に当接して、風船本体１１が安定して支持されるようになっている。
【００２６】
そして、このパイプスティック４０を通して、電線５１が接続された発光ダイオード５０がポケット２０に挿入され、風船本体１１内に配置されるようになっている。この電線５１の基端部は、パイプスティック４０の下端から取出され、電池ボックス５２に接続されている。電池ボックス５２は、電池５３の収容室５４と、収容室５４を閉じるカバー５５と、電池ボックス５２に取付けられるフック５６と、電源をＯＮ、ＯＦＦするスイッチ５７とを有している。この電池ボックス５２が本発明における電源装置をなしている。
【００２７】
更に、パイプスティック４０を立てるための支持台６０が設けられている。この支持台６０は、円盤状の台６１と、その中心から立設された支柱６２とを有している。そして、図２に示すように、この支柱６２をパイプスティック４０の下端から挿入することによって、パイプスティック４０が支持台６０上に立設され、風船本体１１がパイプスティック４０を介して安定して支持されるようになっている。なお、電線５１は、パイプスティック４０の下端から支柱６２との隙間を通して取出され、電池ボックス５２は支持台６０の近傍に設置される。
【００２８】
なお、発光ダイオード４０及びその駆動回路としては、公知の各種のものが使用できるが、点滅したり、色が変化したりするものが、意匠効果をより高めることができるので好ましい。特にフルカラーＬＥＤを使用して、例えば赤→青→緑のように所定時間毎に点滅しながら色が変化するものが好ましい。
【００２９】
上記発光風船１０によれば、ガス注入用バルブ３０に図示しないストロー等を挿入し、このストロー等を通して空気やガスを注入することにより、風船本体１１を膨らませることができる。そして、電池ボックス５２のスイッチ５７をＯＮにすると、発光ダイオード４０が発光し、この光は、アルミ蒸着層が残っている光が透過しにくい部分１１ｂによって内面反射され、光が透過しやすい部分１１ａから外部に漏れて、光が透過し易い部分１１ａを明るく浮き上がらせる。その結果、ハローウィンお化けのような顔の目と口だけが光り、特に暗いところで人目を引く斬新な意匠となる。また、発光ダイオード４０が点滅したり、色が変化したりするものを採用すれば、より意匠効果を高めることができる。更に、発光ダイオード４０は、低消費電力で超寿命であるため、ディスプレイ等として長時間に亘って光らせることが可能となる。なお、不使用時には、ガス注入用バルブ３０に図示しないストロー等を挿入して内部の空気やガスを抜き、風船本体１１を折り畳んでコンパクトにして収納することができる。
【００３０】
図４，５には、本発明による発光風船の他の実施形態が示されている。なお、前記実施形態と実質的に同一部分には同符号を付して、その説明を省略することにする。
【００３１】
この発光風船１０ａは、風船本体１１がクリスマスツリー形状をなし、全体として二等辺三角形状のツリー部１３と、その頂部に形成された星形の飾り部１４とを有し、星形の飾り部１４は、光が透過しやすい部分１１ａをなしている。また、ツリー部１３には、星、円、くつした等の模様が描かれ、そのうちのいくつかのものは、光が透過しやすい部分１１ａをなしている。そして、その他の部分がアルミ蒸着層が残っている光が透過しにくい部分１１ｂをなしている。
【００３２】
また、この発光風船１０ａでは、支持台６０が電池ボックスを兼ねており、その裏面に設けたカバー５５を開くと、電池５３を収容する収容室５４が現れ、電池５３を収容できるようになっている。そして、風船本体１１の図示しないポケット内には前記実施形態と同様な態様で発光ダイオードが配置されており、この発光ダイオードに接続された電線はパイプスティック４０を通して、上記支持台６０に設けられた電池ボックスに接続されている。
【００３３】
この発光風船１０ａでは、支持台６０が電池ボックスを兼ねているので、支持台６０が収容された電池５３によって重くなって安定し、別途電池ボックス等を設ける必要がないので、形状がシンプルでコンパクトとなり、外観が良好となる。そして、発光ダイオードの光が、星形の飾り部１４や、星、円、くつした等の模様部分から外部に漏れて、クリスマスツリーらしい装飾効果がもたらされる。
【図面の簡単な説明】
【００３４】
【図１】本発明による発光風船の一実施形態を示す分解斜視図である。
【図２】同発光風船の組立て状態を示す斜視図である。
【図３】同発光風船の要部を示す断面図である。
【図４】本発明による発光風船の他の実施形態を示す斜視図である。
【図５】同発光風船の支持台を裏側から見た斜視図である。
【符号の説明】
【００３５】
１０  発光風船
１１  風船本体
１１ａ  光が透過しやすい部分
１１ｂ  光が透過しにくい部分
１２  合成樹脂フィルム
２０  ポケット
３０  ガス注入用バルブ
４０  パイプスティック
４１  風船受具
５０  発光ダイオード
５１  電線
５２  電池ボックス
５３  電池
５４  収容室
５５  カバー
５６  フック
５７  スイッチ
６０  支持台
６１  台
６２  支柱
【図１】
2007010950.tif 000003
【図２】
2007010950.tif 000004
【図３】
2007010950.tif 000005
【図４】
2007010950.tif 000006
【図５】
2007010950.tif 000007